(57)【特許請求の範囲】
【請求項１】
被写体を撮像する撮像部との結合を検知する結合検知手段と、
前記撮像部と無線で通信する無線通信手段と、
タッチパネルと、
表示手段と、
前記表示手段に前記撮像部を制御するためのアイテムを表示するよう制御する制御手段とを有し、
前記制御手段は、前記撮像部と結合している場合と、前記撮像部と接合していない場合とで、前記アイテムの表示の態様を異ならせるよう制御し、前記撮像部と接合していない状態になった場合、前記撮像部と結合している状態で２本の指のピンチ操作に割り当てられていた画像の拡大・縮小の機能を、指１本でも操作可能なアイテムの表示態様に切り替えるよう制御することを特徴とする携帯端末。
【請求項２】
被写体を撮像する撮像部との結合を検知する結合検知手段と、
前記撮像部と無線で通信する無線通信手段と、
タッチパネルと、
表示手段と、
前記表示手段に前記撮像部を制御するためのアイテムを表示するよう制御する制御手段とを有し、
前記制御手段は、前記撮像部と結合している場合と、前記撮像部と接合していない場合とで、前記アイテムの表示の態様を異ならせるよう制御し、前記撮像部と接合していない状態になった場合、前記撮像部と結合している状態で２本の指の回転操作に割り当てられていた画像の回転の機能を、指１本でも操作可能なアイテムの表示態様に切り替えるよう制御することを特徴とする携帯端末。
【請求項３】
指１本でも操作可能なアイテムの表示態様とは、アイテムを画面の右端に寄せて表示する態様であることを特徴とする請求項１または２に記載の携帯端末。
【請求項４】
前記結合検知手段は、前記撮像部と近接無線通信で通信できているか否かに基づいて、前記撮像部と結合しているか否かを検知することを特徴とする請求項１乃至３のいずれか１項に記載の携帯端末。
【請求項５】
前記撮像部は、前記携帯端末へ取り付けるための爪を備えた取り付け部を備え、
前記結合検知手段は、前記取り付け部の爪が立っているか否かに基づいて、前記撮像部と結合しているか否かを検知することを特徴とする請求項１乃至３のいずれか１項に記載の携帯端末。
【請求項６】
タッチパネルと表示手段とを有する携帯端末の制御方法であって、
被写体を撮像する撮像部との結合を検知する結合検知工程と、
前記撮像部と無線で通信する無線通信工程と、
前記表示手段に前記撮像部を制御するためのアイテムを表示するよう制御する制御工程とを有し、
前記制御工程では、前記携帯端末が前記撮像部と結合している場合と、前記携帯端末が前記撮像部と接合していない場合とで、前記アイテムの表示の態様を異ならせるよう制御し、前記携帯端末が前記撮像部と接合していない状態になった場合、前記携帯端末が前記撮像部と結合している状態で２本の指のピンチ操作に割り当てられていた画像の拡大・縮小の機能を、指１本でも操作可能なアイテムの表示態様に切り替えるよう制御することを特徴とする携帯端末の制御方法。
【請求項７】
タッチパネルと表示手段とを有する携帯端末の制御方法であって、
被写体を撮像する撮像部との結合を検知する結合検知工程と、
前記撮像部と無線で通信する無線通信工程と、
前記表示手段に前記撮像部を制御するためのアイテムを表示するよう制御する制御工程とを有し、
前記制御工程では、前記携帯端末が前記撮像部と結合している場合と、前記携帯端末が前記撮像部と接合していない場合とで、前記アイテムの表示の態様を異ならせるよう制御し、前記携帯端末が前記撮像部と接合していない状態になった場合、前記携帯端末が前記撮像部と結合している状態で２本の指の回転操作に割り当てられていた画像の回転の機能を、指１本でも操作可能なアイテムの表示態様に切り替えるよう制御することを特徴とする携帯端末の制御方法。
【請求項８】
コンピュータを請求項１乃至５のいずれか１項に記載の携帯端末の各手段として機能させるための、コンピュータが読み取り可能なプログラム。
【発明の詳細な説明】
【技術分野】
【０００１】
本発明は携帯端末および携帯端末の制御方法に関し、特に、撮像装置を無線制御する携帯端末に用いて好適な技術に関するものである。
【背景技術】
【０００２】
スマートフォンに取り付けて撮影するタイプのレンズスタイルカメラが提案されている。レンズスタイルカメラはスマートフォンで無線制御されることが前提となっており、表示部を備えず、スマートフォンの表示部がその機能をとって代わって担っている。
【０００３】
レンズスタイルカメラで撮影するスタイルとして、スマートフォンとレンズスタイルカメラを結合して撮影するスタイルと、スマートフォンとレンズスタイルカメラを分離して撮影するスタイルの、二つのスタイルが考えられる。この二つの撮影スタイルでは、レンズスタイルカメラとスマートフォンの把持方法が異なるため、それぞれの撮影スタイルに応じて異なる操作方法であることが望ましい。
【０００４】
例えば特許文献１では、結合または分離可能なボディユニットとレンズユニットを有し、ボディユニットとレンズユニットが分離しているか結合しているかの違いによって、ある操作部に割り当てられた撮像装置への指示内容が異なる撮像装置が提案されている。
【先行技術文献】
【特許文献】
【０００５】
【特許文献１】特開２０１１−２５９０６５号公報
【発明の概要】
【発明が解決しようとする課題】
【０００６】
一方、スマートフォンとレンズスタイルカメラを分離した状態の撮影スタイルでは、スマートフォンとレンズスタイルカメラを左右別々の手に持つことになり、結合した状態の撮影スタイルに比べて操作に制約が生まれる。
【０００７】
制約を受ける操作の例として、指２本を用いて画像の拡大・縮小を行うピンチ操作や、指２本で画面にタッチし回転させることで行う画像の回転操作がある。レンズスタイルカメラとスマートフォンを結合させて撮影するスタイルの場合は片方の手でレンズスタイルカメラとスマートフォン全体を持つことでもう片方の手が自由になるため、指２本を用いたピンチ操作や回転操作が容易に可能である。これに対して、スマートフォンとレンズスタイルカメラを分離し左右別々の手に持っていた場合、片方の手だけでピンチ操作や回転操作を行うことは困難である。
【０００８】
特許文献１に記載の技術では、ある操作部に割り当てられた撮像装置への指示内容が、ボディユニットとレンズユニットの結合・分離によって異なるというものであるため、スマートフォンとレンズスタイルカメラ分離時の操作の制約に対する解決にはならない。
本発明は前述の問題点に鑑み、撮像部と携帯端末を分離した状態で左右別々の手に持っていた場合でも、操作者が容易に操作できるようにすることを目的とする。
【課題を解決するための手段】
【０００９】
本発明の携帯端末は、被写体を撮像する撮像部との結合を検知する結合検知手段と、前記撮像部と無線で通信する無線通信手段と、タッチパネルと、表示手段と、前記表示手段に前記撮像部を制御するためのアイテムを表示するよう制御する制御手段とを有し、前記制御手段は、前記撮像部と結合している場合と、前記撮像部と接合していない場合とで、前記アイテムの表示の態様を異ならせるよう制御し、前記撮像部と接合していない状態になった場合、前記撮像部と結合している状態で２本の指のピンチ操作に割り当てられていた画像の拡大・縮小の機能を、指１本でも操作可能なアイテムの表示態様に切り替えるよう制御することを特徴とする。
【発明の効果】
【００１０】
本発明によれば、撮像部と携帯端末を分離した状態で左右別々の手に持っていた場合でも、操作者が容易に操作することが可能となる。
【図面の簡単な説明】
【００１１】
【図１】本発明の実施形態における撮像部および携帯端末の全体の構成を示すブロック図である。
【図２】本発明の第１の実施形態における撮像部および携帯端末の全体の外観図である。
【図３】本発明の第１の実施形態における撮像部と携帯端末の操作例を示す図である。
【図４】本発明の第１の実施形態における携帯端末の動作を示すフローチャートである。
【図５】本発明の第１の実施形態における表示部の表示例を示す図である。
【図６】本発明の第２の実施形態における表示部による露光調整の例を示す図である。
【図７】本発明の第２の実施形態における携帯端末の動作を示すフローチャートである。
【図８】本発明の第２の実施形態における撮像部の回転操作時の動作を示すフローチャートである。
【発明を実施するための形態】
【００１２】
以下に、本発明の好ましい実施形態を、添付の図面に基づいて詳細に説明する。
［第１の実施形態］
以下に、本発明を実施するための形態について、添付の図面を用いて詳細に説明する。
ここでは本発明の第１の実施形態について説明する。なお、以下に説明する実施形態は、本発明の実現手段としての一例であり、本発明が適用される装置の構成や各種条件によって適宜修正又は変更されてもよい。また、各実施形態を適宜組み合せることも可能である。
【００１３】
図１は、本発明の実施形態に係る通信システムを用いた撮像装置の全体の構成を示すブロック図である。なお、ここでは撮像装置の一例としてレンズスタイルカメラ及びスマートフォンについて述べるが、撮像装置はこれに限られない。例えば、撮像装置は携帯型のメディアプレーヤやいわゆるタブレットデバイス、パーソナルコンピュータなどの情報処理装置であってもよい。
【００１４】
まず、被写体を撮像する撮像部として用いているレンズスタイルカメラＡ１００について説明する。
制御部Ａ１０１は、入力された信号や、後述のプログラムに従ってレンズスタイルカメラＡ１００の各部を制御する。なお、制御部Ａ１０１が装置全体を制御する代わりに、複数のハードウェアが処理を分担することで、装置全体を制御してもよい。
【００１５】
撮像部Ａ１０２は、例えば、光学レンズユニットと絞り・ズーム・フォーカスなど制御する光学系と、光学レンズユニットを経て導入された光（映像）を電気的な映像信号に変換するための撮像素子などで構成される。撮像素子としては、一般的には、ＣＭＯＳ（Complementary Metal Oxide Semiconductor）や、ＣＣＤ（Charge Coupled Device Image Sensor）が利用される。
【００１６】
撮像部Ａ１０２は、制御部Ａ１０１に制御されることにより、撮像部Ａ１０２に含まれるレンズで結像された被写体光を、撮像素子により電気信号に変換し、ノイズ低減処理などを行い、デジタルデータを画像データとして出力する。本実施形態のレンズスタイルカメラＡ１００では、画像データは、ＤＣＦ（Design rule for Camera File system）の規格に従って、記録媒体Ａ１１０に記録される。
【００１７】
不揮発性メモリＡ１０３は、電気的に消去・記録可能な不揮発性のメモリであり、制御部Ａ１０１で実行される後述のプログラム等が格納される。
作業用メモリＡ１０４は、撮像部Ａ１０２で撮像された画像データを一時的に保持するバッファメモリや、表示部Ｂ１０６の画像表示用メモリ、制御部Ａ１０１の作業領域等として使用される。
【００１８】
操作部Ａ１０５は、レンズスタイルカメラＡ１００に対する指示をユーザから受け付けるために用いられる。操作部Ａ１０５は例えば、ユーザがレンズスタイルカメラＡ１００の電源のＯＮ／ＯＦＦを指示するための電源ボタンや、撮像を指示するためのレリーズスイッチを含む。
【００１９】
さらに、後述の接続部Ａ１１１を介して外部機器との通信を開始するための専用の接続ボタンなどの操作部材を含む。なお、不図示のレリーズスイッチは、ＳＷ１およびＳＷ２を有する。レリーズスイッチが、いわゆる半押し状態となることにより、ＳＷ１がＯＮとなる。
【００２０】
これにより、ＡＦ（オートフォーカス）処理、ＡＥ（自動露出）処理、ＡＷＢ（オートホワイトバランス）処理、ＥＦ（フラッシュプリ発光）処理等の、静止画の撮像準備を行う指示を受け付ける。また、レリーズスイッチが、いわゆる全押し状態となることにより、ＳＷ２がＯＮとなる。これにより、静止画の撮像を行う指示を受け付ける。
【００２１】
回転検知部Ａ１０６は、レンズスタイルカメラＡ１００が回転された方向および回転された際の角速度を検知する。検知された回転方向および角速度情報は制御部Ａ１０１に送られ、各種の処理に利用される。
【００２２】
記録媒体Ａ１１０は、撮像部Ａ１０２から出力された画像データを記録することができる。記録媒体Ａ１１０は、レンズスタイルカメラＡ１００に着脱可能なように構成してもよいし、レンズスタイルカメラＡ１００に内蔵されていてもよい。すなわち、レンズスタイルカメラＡ１００は少なくとも記録媒体Ａ１１０にアクセスする手段を有していればよい。
【００２３】
接続部Ａ１１１は、外部装置と接続するためのインターフェースである。本実施形態のレンズスタイルカメラＡ１００は、接続部Ａ１１１を介して、外部装置とデータのやりとりを行うことができる。なお、本実施形態では、接続部Ａ１１１は外部装置とＩＥＥＥ８０２．１１の規格に従った、いわゆる無線ＬＡＮにより通信するためのインターフェースを含む。制御部Ａ１０１は、接続部Ａ１１１を制御することで外部装置との無線通信を実現する。
【００２４】
近接無線通信部Ａ１１２は、他機との非接触近接通信を実現するための通信ユニットである。近接無線通信部Ａ１１２は、無線通信のためのアンテナと無線信号を処理するため変復調回路や通信コントローラから構成される。近接無線通信部Ａ１１２は、変調した無線信号をアンテナから出力し、またアンテナで受信した無線信号を復調することにより非接触近接通信を実現する。ここでは、ＩＳＯ／ＩＥＣ １８０９２の規格（いわゆるNFC：Near Field Communication）に従った非接触通信を実現する。
【００２５】
近接無線通信部Ａ１１２は、他のデバイスからデータ読み出し要求を受けると、不揮発性メモリＡ１０３に格納されているデータに基づき、応答データを出力する。本実施形態では、近接無線通信部Ａ１１２は、後述のスマートフォンＢ１００の近接無線通信部Ｂ１１２と近接・離反した際に、スマートフォンＢ１００の近接・離反の検出、スマートフォンＢ１００からの信号強度情報の受信などに利用される。
【００２６】
本実施形態における近接無線通信の実現においては、各機器の互いの近接無線通信部同士を近接させることにより通信を開始して接続される。なお、この近接無線通信を実現するためには、必ずしも近接無線通信部同士を接触させる必要はない。近接無線通信部は一定の距離だけ離れていても、通信することができるため、ここでは近接無線通信可能な範囲まで近づければよい。以下の説明では、この近接無線通信可能な範囲まで近づけることを「近接させる」と記載する。
【００２７】
また、互いの近接無線通信部が近接無線通信不可能な範囲にあれば、通信は開始されない。また、互いの近接無線通信部が近接無線通信可能な範囲にあって、機器同士が通信接続されている際に、互いの近接無線通信部が近接無線通信不可能な範囲に離れてしまった場合は、通信接続が解除される。
【００２８】
なお、近接無線通信部Ａ１１２が実現する非接触近接通信はＮＦＣに限られるものではなく、他の無線通信を採用してもよい。例えば、近接無線通信部Ａ１１２が実現する非接触近接通信として、ＩＳＯ／ＩＥＣ １４４４３の規格に従った非接触近接通信を採用してもよい。
以上がレンズスタイルカメラＡ１００の説明である。
【００２９】
次に、本発明の携帯端末であるスマートフォンＢ１００について説明する。
制御部Ｂ１０１は、入力された信号や、後述のプログラムに従ってスマートフォンＢ１００の各部を制御する。なお、制御部Ｂ１０１が装置全体を制御する代わりに、複数のハードウェアが処理を分担することで、装置全体を制御してもよい。
【００３０】
撮像部Ｂ１０２は、例えば、光学レンズユニットと絞り・ズーム・フォーカスなど制御する光学系と、光学レンズユニットを経て導入された光（映像）を電気的な映像信号に変換するための撮像素子などで構成され、携帯端末と結合可能である。撮像素子としては、一般的には、ＣＭＯＳや、ＣＣＤが利用される。
【００３１】
撮像部Ｂ１０２は、制御部Ｂ１０１に制御されることにより、撮像部Ｂ１０２に含まれるレンズで結像された被写体光を、撮像素子により電気信号に変換し、ノイズ低減処理などを行い、デジタルデータを画像データとして出力する。本実施形態のスマートフォンＢ１００では、画像データは、ＤＣＦの規格に従って、記録媒体Ｂ１１０に記録される。
【００３２】
不揮発性メモリＢ１０３は、電気的に消去・記録可能な不揮発性のメモリであり、制御部Ｂ１０１で実行される後述のプログラム等が格納される。
作業用メモリＢ１０４は、撮像部Ｂ１０２で撮像された画像データを一時的に保持するバッファメモリや、表示部Ｂ１０６の画像表示用メモリ、制御部Ｂ１０１の作業領域等として使用される。
【００３３】
操作部Ｂ１０５は、ユーザがスマートフォンＢ１００に対する指示をユーザから受け付けるために用いられる。操作部Ｂ１０５は例えば、ユーザがスマートフォンＢ１００の電源のＯＮ／ＯＦＦを指示するための電源ボタンや、画面遷移を指示するための操作ボタンを含む。また、後述する表示部Ｂ１０６に形成されるタッチパネルも操作部Ｂ１０５に含まれる。
【００３４】
表示部Ｂ１０６は、撮像した静止画像データの表示、対話的な操作のためのＧＵＩ（Graphical User Interface）表示などを行うために設けられているものであり、本実施形態においてはタッチパネル一体型に構成されている。
記録媒体Ｂ１１０は、撮像部Ｂ１０２から出力された画像データを記録することができる。記録媒体Ｂ１１０は、スマートフォンＢ１００に着脱可能なように構成してもよいし、スマートフォンＢ１００に内蔵されていてもよい。すなわち、スマートフォンＢ１００は少なくとも記録媒体Ｂ１１０にアクセスする手段を有していればよい。
【００３５】
接続部Ｂ１１１は、外部装置と接続するためのインターフェースである。本実施形態のスマートフォンＢ１００は、接続部Ｂ１１１を介して、外部装置とデータのやりとりを行うことができる。なお、本実施形態では、接続部Ｂ１１１は外部装置とＩＥＥＥ８０２．１１の規格に従った、いわゆる無線ＬＡＮで通信するためのインターフェースを含む。制御部Ｂ１０１は、接続部Ｂ１１１を制御することで外部装置との無線通信を実現する。
【００３６】
近接無線通信部Ｂ１１２は、他機との非接触近接通信を実現するための通信ユニットである。近接無線通信部Ｂ１１２の詳細は、近接無線通信部Ａ１１２と同様であるため、詳細な説明は省略する。
【００３７】
本実施形態では、近接無線通信部Ｂ１１２は、レンズスタイルカメラＡ１００の近接無線通信部Ａ１１２と近接・離反した際に、レンズスタイルカメラＡ１００の近接・離反の検出、レンズスタイルカメラＡ１００からの信号強度情報の受信などに利用される。
本実施形態における近接無線通信の詳細については、近接無線通信部Ａ１１２の説明の際に述べたため、詳細な説明は省略する。
【００３８】
公衆無線通信部Ｂ１１３は、基地局Ｃ１００を介して公衆網Ｄ１００を利用した通信を実現するためのインターフェースである。公衆無線通信部Ｂ１１３は、無線通信のためのアンテナと無線信号を処理するため変復調回路や通信コントローラから構成され、Ｗ−ＣＤＭＡ（ＵＭＴＳ）やＬＴＥ（Long Term Evolution）等の規格に従って公衆無線通信を実現する。
以上がスマートフォンＢ１００の説明である。
【００３９】
なお、図１では、レンズスタイルカメラＡ１００とスマートフォンＢ１００とが１対１で通信し得ることを示す図を例に挙げて説明しているが、１対多での通信も可能である。
図２（ａ）は本実施形態におけるレンズスタイルカメラＡ１００とスマートフォンＢ１００の外観図である。
【００４０】
本実施形態のレンズスタイルカメラＡ１００とスマートフォンＢ１００は、例えばユーザによるメニュー操作を介して、互いの接続部同士の通信を行う指示を受け付け、ユーザによるパラメータの入力等を経て、無線ＬＡＮによる通信を確立することができる。また、互いの近接無線通信部を介して接続部同士の通信をするためのパラメータを共有することで、ユーザにパラメータを入力させることを必要とすることなく無線ＬＡＮによる通信を確立することも可能である。この技術は、いわゆるハンドオーバーと呼ばれる。
【００４１】
いずれの手順でも、無線ＬＡＮでの通信が確立した後は、無線ＬＡＮを介して、例えばレンズスタイルカメラＡ１００をスマートフォンＢ１００でリモートコントロールすることができる。
【００４２】
レンズスタイルカメラＡ１００をスマートフォンＢ１００でリモートコントロールしている状態において、制御部Ａ１０１は撮像部Ａ１０２から得られるリアルタイムの映像データを、無線通信によってスマートフォンＢ１００へ送信する。制御部Ｂ１０１は、無線通信によって受信した映像データをライブビュー画像として表示部Ｂ１０６に表示する。
【００４３】
ライブビュー画像表示中に、操作部Ａ１０５または操作部Ｂ１０５によって撮像操作が行われた場合、制御部Ａ１０１は撮像部Ａ１０２によって撮影された静止画の画像データを記録媒体Ａ１１０に格納する。また同時に、静止画の画像データを無線通信によってスマートフォンＢ１００へも送信する。
【００４４】
その後、制御部Ｂ１０１は、受信した画像データをプレビュー画像として表示部Ｂ１０６へ表示する。その後、制御部Ｂ１０１は一定時間経過した場合、もしくは操作部Ｂ１０５から特定の操作があった場合、再びライブビュー画像を表示部Ｂ１０６へ表示する。つまり、ユーザが撮影を行っている間、表示部Ｂ１０６にはライブビュー画像または撮影後プレビュー画像が表示されている。
【００４５】
ユーザが撮影を行う場合、レンズスタイルカメラＡ１００とスマートフォンＢ１００は、図２（ａ）のように分離した状態で使用されるケースと、図２（ｂ）のように結合した状態で使用されるケースの２つのケースが考えられる。
【００４６】
図３は、レンズスタイルカメラＡ１００とスマートフォンＢ１００の操作例を示す図である。
図３（ａ）は、図２（ｂ）のようにレンズスタイルカメラＡ１００とスマートフォンＢ１００を結合した状態の把持方法の一例である。図３（ａ）の例では、ユーザは左手でレンズスタイルカメラＡ１００とスマートフォンＢ１００の両方を把持することができ、右手は自由にタッチパネル操作を行うことができる。
【００４７】
図３（ｂ）は、図２（ａ）のようにレンズスタイルカメラＡ１００とスマートフォンＢ１００を分離した状態で左右別々の手に把持した例を示す図である。図３（ｂ）の持ち方の場合、スマートフォンＢ１００を右手の４本の指で保持することになるため、スマートフォンＢ１００のタッチパネル操作は、ほぼ親指１本でしか行うことができない。そのため、指を複数本用いた操作を行うことが困難になる。
【００４８】
図３（ｃ）は、指を複数本用いたピンチ操作を示す図である。図３（ｃ）の操作では、２本の指の間隔を狭めることによって画像の縮小操作、２本の指の間隔を広げることによって画像の拡大操作を行うことができる。この操作は、主にライブビュー画像表示時や、撮影後のプレビュー画像表示時に使用される。
【００４９】
また図３（ｄ）は、指を複数本用いた回転操作を示す図である。図３（ｄ）の操作では、２本の指を同じ方向に回転させることで画像の回転操作を行うことができる。この操作は、主に撮影後のプレビュー画像表示時に使用される。
【００５０】
これら図３（ｃ）のピンチ操作や図３（ｄ）の回転操作は、図３（ａ）の持ち方であれば右手が自由になっていることにより容易に行うことができる。しかし、図３（ｂ）の持ち方をしている場合、指を複数本用いる必要のある図３（ｃ）のピンチ操作や図３（ｄ）の回転操作を行うことは困難である。
【００５１】
そこで本発明の第１の実施形態では、レンズスタイルカメラＡ１００とスマートフォンＢ１００を左右別々の手に持っている場合でも、複数の指に割り当てられた操作を１本の指で容易に操作を行うことが可能としている。
【００５２】
図４は、本発明の第１の実施形態におけるスマートフォンＢ１００の動作を示すフローチャートである。
レンズスタイルカメラＡ１００とスマートフォンＢ１００の電源がＯＮとなり、ユーザによるメニュー操作もしくはハンドオーバー操作によって両者が無線通信を始めた時に、本フローチャートは開始される。ここで言う無線通信とは、無線ＬＡＮによる通信や、ＮＦＣ等による近接無線通信を含む。
【００５３】
以下、具体的なフローチャートの各ステップについて説明する。
Ｓ４０１では、制御部Ｂ１０１は、レンズスタイルカメラＡ１００とスマートフォンＢ１００が分離しているか否かを判定する、結合判定処理を行う。結合判定処理を行う判定手段については、ここでは特に限定しない。
【００５４】
例えば、レンズスタイルカメラＡ１００の取り付け部の爪が折りたたまれている際に制御部Ｂ１０１はレンズスタイルカメラＡ１００とスマートフォンＢ１００が分離していると判定してもよい。また、レンズスタイルカメラＡ１００とスマートフォンＢ１００が近接無線通信できなかったときに、制御部Ｂ１０１はレンズスタイルカメラＡ１００とスマートフォンＢ１００が分離していると判定してもよい。レンズスタイルカメラＡ１００とスマートフォンＢ１００が分離していると判定された場合、処理はＳ４０２へ進む。一方、レンズスタイルカメラＡ１００とスマートフォンＢ１００が分離していないと判定された場合、処理はＳ４０７へ進む。
【００５５】
Ｓ４０２では、制御部Ｂ１０１は、現在の表示部Ｂ１０６の状態がライブビュー表示中であるか否かを判定する。ライブビュー表示中であると判定された場合、処理はＳ４０３へ進む。一方、ライブビュー画像表示中でないと判定された場合、処理はＳ４０４へ進む。
【００５６】
Ｓ４０３では、制御部Ｂ１０１は、表示部Ｂ１０６上に、指１本でも画像の拡大／縮小操作を行うことが可能なアイコンを表示させる表示制御を行う。指１本で操作可能なアイコン表示形態の一例を、図５（ａ）に示す。アイコン５０１は指１本でタッチすることで画像の拡大操作、アイコン５０２は指１本でタッチすることで画像の縮小操作を行うことができるアイコンである。つまり、アイコン５０１またはアイコン５０２の何れかに指１本でタッチすることで画像の拡大・縮小を行うことが可能となる。
【００５７】
Ｓ４０３で表示されたアイコンをタッチすることにより、ユーザはライブビュー画像表示中に、スマートフォンＢ１００を片手で持っている場合でも指１本で拡大／縮小の操作を行うことが可能になる。その後、処理はＳ４０６へ進む。
【００５８】
Ｓ４０４では、制御部Ｂ１０１は、現在の表示部Ｂ１０６の状態が撮影後のプレビュー画像表示中か否かを判定する。プレビュー画像表示中であると判定された場合、処理はＳ４０５へ進む。プレビュー画像表示中でないと判定された場合、処理はＳ４０７へ進む。
【００５９】
Ｓ４０５では、制御部Ｂ１０１は、表示部Ｂ１０６上に、指１本でも拡大／縮小／回転操作を行うことが可能なアイコンを表示させる表示制御を行う。アイコン表示の一例を、図５（ｂ）に示す。アイコン５０１、５０２については図５（ａ）と同様であるため説明を省略する。
【００６０】
アイコン５０３は指１本でタッチすることで画像の反時計回りの回転操作、アイコン５０４は指１本でタッチすることで画像の時計回りの回転操作を行うことができるアイコンである。Ｓ４０５で表示されたアイコンをタッチすることにより、ユーザは撮影後のプレビュー画像表示中に、スマートフォンＢ１００を片手で持っている場合でも指１本で拡大／縮小／回転の操作を行うことが可能になる。その後、処理はＳ４０６へ進む。
【００６１】
Ｓ４０６では、制御部Ｂ１０１は、レンズスタイルカメラＡ１００とスマートフォンＢ１００が無線通信中か否かを判定する。無線通信中であると判定された場合、処理は再びＳ４０１へ戻る。
【００６２】
Ｓ４０７では、制御部Ｂ１０１は、表示部Ｂ１０６上の拡大／縮小／回転アイコンを非表示にする。スマートフォンＢ１００とレンズスタイルカメラＡ１００が結合している場合は拡大／縮小／回転操作はアイコンがなくても指２本で行うことができるため、この処理によって不要なアイコンを消すことができる。
【００６３】
また、表示部Ｂ１０６上の表示がライブビュー画像でもプレビュー画像でもない場合はそもそも拡大／縮小／回転の操作は不要であるため、不要なアイコンを消すことができる。その後、処理はＳ４０６へ進む。
Ｓ４０６において無線通信中ではないと判定された場合、処理を終了する。
【００６４】
［第２の実施形態］
以下に、本発明を実施するための第２の実施形態について説明する。
第２の実施形態では、スマートフォンとレンズスタイルカメラを分離した状態で左右別々の手に持っていた場合の特定の操作をより直感的で容易に行うことができるための方法について説明する。本実施形態の装置構成は第１の実施形態の図１と同じである。
第２の実施形態では、レンズスタイルカメラＡ１００とスマートフォンＢ１００を左右別々の手に持って撮影する場合において、以下のようなケースを想定している。
【００６５】
図６は、スマートフォンＢ１００のライブビュー画面の一例を表す図である。スマートフォンＢ１００のタッチパネルを用いて、レンズスタイルカメラＡ１００の露光調整を行う例を示す図である。
【００６６】
６０１は撮影者が撮影したい被写体（人物）、６０２は露光調整時に表示される露光調整メニュー、６０３は撮影者の指を示している。この場合、撮影者は露光調整メニュー６０２上を左右にドラッグまたはフリック操作することで、露光の値を変更することができる。このようなダイヤルを見立てた表示の態様により、ユーザは現在の露光の値がいくつであるかということ、また、どのように操作すれば値がどう変化するのかということを、容易に把握することができる。また、変更できる数値の段階が多段階である場合には、例えば＋や−などのボタンを表示して何度もタッチさせるよりも、より素早く値を変更できる。その一方で、この操作体系は、レンズスタイルカメラＡ１００とスマートフォンＢ１００を左右別々の手に持っている場合について、考慮されていない。片手で把持しているスマートフォンＢ１００の画面上をドラッグしたりフリックしたりすることは、一般的に難しいため、上記の操作体系では不都合だった。
【００６７】
そこで、本発明の第２の実施形態では、レンズスタイルカメラＡ１００とスマートフォンＢ１００を左右別々の手に持っている場合に、レンズスタイルカメラＡ１００に対する操作を利用することで、直感的な表示態様と操作感を両立する。
【００６８】
図７は、本発明の第２の実施形態におけるスマートフォンＢ１００の撮像モード時の動作を示すフローチャートである。本フローチャートは、レンズスタイルカメラＡ１００とスマートフォンＢ１００の電源がＯＮとなり、ユーザによるメニュー操作もしくはハンドオーバー操作によって両者が無線通信を始めた時に開始される。
【００６９】
Ｓ７０１では、表示部Ｂ１０６は、レンズスタイルカメラＡ１００から送られてきたライブビュー画像を表示する。
Ｓ７０２では、制御部Ｂ１０１は、レンズスタイルカメラＡ１００とスマートフォンＢ１００が分離しているか否かを判定する、結合判定処理を行う。判定する手段は第１の実施形態のＳ４０１と同様である。
【００７０】
レンズスタイルカメラＡ１００とスマートフォンＢ１００が分離していると判定された場合、処理はＳ７０３へ進む。一方、レンズスタイルカメラＡ１００とスマートフォンＢ１００が分離していないと判定された場合、処理はＳ７０６へ進み、通常操作モードに入る。通常操作モードとは、操作部Ａ１０５あるいは操作部Ｂ１０５を用いて露光調整などの各種操作を行うモードである。
【００７１】
Ｓ７０３では、制御部Ｂ１０１は、操作部Ｂ１０５、表示部Ｂ１０６により回転操作モード移行の指示があったか否か判断する。回転操作モードでは、操作部Ａ１０５あるいは操作部Ｂ１０５の操作の一部をレンズスタイルカメラＡ１００が回転することによる操作に割り当てる。
【００７２】
回転操作を割り当てる機能としては、露光調整、ISO感度調整、シャッター速度調整、絞り調整、ズームなどが考えられるが、本実施形態では露光調整を例に話を進める。回転操作モード移行の指示のトリガーについては、たとえば、操作部Ｂ１０５による操作によりあらかじめある機能を回転操作に割り当てる設定をしておき、メニューによって割り当てた機能が選択されたことをトリガーとしてもよい。
【００７３】
また、操作部Ｂ１０５による操作を行わずに、操作部Ａ１０５によるシャッター半押しなどの諸操作を回転操作モード移行の指示のトリガーとしてもよい。本実施形態では、操作部Ｂ１０５によりあらかじめ露光調整は回転操作で行う設定にしておき、ライブビュー画像表示中に露光調整メニューが選択されたときに回転操作モード移行の指示があったと判定するものとする。回転操作モード移行の指示があったと判定された場合、処理はＳ７０４へ進む。一方、回転操作モード移行の指示がないと判定された場合、処理はＳ７０１へ戻る。
【００７４】
Ｓ７０４では、制御部Ｂ１０１は、現在のレンズスタイルカメラＡ１００本体の傾きを回転検知部Ａ１０６により検知し、回転開始角度として記憶する。
その後、回転検知部Ａ１０６からの検出信号に基づいてＳ７０５で、回転操作モードに移行するモード制御処理が行なわれる。
【００７５】
図８は、本発明の第２の実施形態におけるレンズスタイルカメラＡ１００の回転操作時の動作を示すフローチャートである。レンズスタイルカメラＡ１００とスマートフォンＢ１００は無線通信しており、レンズスタイルカメラＡ１００の回転方向と角速度情報は回転検知部Ａ１０６により検知され、無線通信によりスマートフォンＢ１００に送られるものとする。
【００７６】
Ｓ８０１では、制御部Ｂ１０１は、操作部Ｂ１０５により回転操作モードをやめる指示がなされたか否かを判定する。回転操作モードをやめる指示がされたと判定された場合、処理はＳ８０６へ進み、Ｓ７０６と同様に通常操作モードへと移行する。回転操作モードをやめる指示がされていないと判定された場合、処理はＳ８０２へ進む。
【００７７】
Ｓ８０２では、制御部Ｂ１０１は、レンズスタイルカメラＡ１００が回転しているか否かを判定する。レンズスタイルカメラＡ１００が回転していると判定された場合、処理はＳ８０３へ進む。一方、レンズスタイルカメラＡ１００が回転していないと判定された場合、Ｓ８０１およびＳ８０２の判定を繰り返す。
【００７８】
Ｓ８０３では、制御部Ｂ１０１は、回転検知部Ａ１０６からの回転方向と角速度情報より、それらに応じた制御を行う。ここで行う制御は、Ｓ７０３の回転操作指示メニューより選択された制御である。本実施形態では、回転操作として露光調整を行い、レンズスタイルカメラＡ１００が右回転していた場合、露光アップ、左回転していた場合、露光ダウンを行う命令をレンズスタイルカメラＡ１００に送る。レンズスタイルカメラＡ１００は制御情報を受け取るとその制御を行い、制御後の映像をスマートフォンＢ１００に送信する。
【００７９】
Ｓ８０４では、制御部Ｂ１０１は、回転検知部Ａ１０６からの回転方向と角速度情報から、レンズスタイルカメラＡ１００がＳ８０２と同じ方向に回転しているか否かを判定する。レンズスタイルカメラＡ１００がＳ８０２と同じ方向に回転していると判定された場合、処理はＳ８０３へ進み、再度制御処理を行う。一方、レンズスタイルカメラＡ１００がＳ８０２と同じ方向に回転していないと判定された場合、処理はＳ８０５へ進む。
【００８０】
Ｓ８０５では、制御部Ｂ１０１は、レンズスタイルカメラＡ１００の現在角度が、Ｓ７０４で記憶した回転開始角度と一致しているか否かを判定する。回転開始角度と一致している場合、処理はＳ８０１へ進む。一方、回転開始角度と一致していない場合、処理はＳ８０４へ進む。
【００８１】
以上、本発明の好ましい実施形態について説明したが、本発明はこれらの実施形態に限定されず、その要旨の範囲内で種々の変形及び変更が可能である。
たとえば、前述の例では撮影時の機能に回転操作を割り当てたが、再生モード時の機能に割り当ててもよい。その場合の回転操作に割り当てる機能としては、動画コマ送り、再生スピード調整、再生画像送り、明るさなどの表示効果調整、電子ズームなどが考えられる。
【００８２】
（その他の実施形態）
また、本発明は、以下の処理を実行することによっても実現される。即ち、前述した実施形態の機能を実現するソフトウェア（コンピュータプログラム）を、ネットワーク又は各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【００８３】
Ａ１００  レンズスタイルカメラ
Ａ１０１  制御部
Ａ１０２  撮像部
Ａ１０３  不揮発性メモリ
Ａ１０４  作業用メモリ
Ａ１０５  操作部
Ａ１０６  回転検知部
Ａ１１０  記録媒体
Ａ１１１  接続部
Ａ１１２  近接無線通信部
Ｂ１００  スマートフォン
Ｂ１０１  制御部
Ｂ１０２  撮像部
Ｂ１０３  不揮発性メモリ
Ｂ１０４  作業用メモリ
Ｂ１０５  操作部
Ｂ１０５  表示部
Ｂ１１０  記録媒体
Ｂ１１１  接続部
Ｂ１１２  近接無線通信部
【図１】
0006478515.tif 000002
【図２】
0006478515.tif 000003
【図３】
0006478515.tif 000004
【図４】
0006478515.tif 000005
【図５】
0006478515.tif 000006
【図６】
0006478515.tif 000007
【図７】
0006478515.tif 000008
【図８】
0006478515.tif 000009